(57)【特許請求の範囲】
【請求項１】
フランジから外方へ突出するとともに、おねじを有する円筒状注出口と、
注出口のおねじに係合するめねじを有し、注出口に装着された円筒状キャップとを備え、
キャップはキャップ本体と、キャップ本体に薄肉部を介して破断可能に連結されるとともに注出口に沿って摺動可能なリングとを有し、
リング内面の下端に円周突部が設けられるとともに、その上端に所定間隙をおいて複数のリングラチェットが設けられ、
注出口外面には注出口からキャップを取外す際、円周方向においてリングラチェットに係合する複数の注出口ラチェットと、軸方向において円周突部に係合する止め部が所定間隔をおいて複数設けられ、
注出口からキャップを取外す際に注出口ラチェットとリングラチェットが係合する場合、リングに設けられたリングラチェットは、注出口に設けられた止め部および注出口ラチェットと円周方向に関してずれて配置され、キャップを注出口に対して回転させて注出口ラチェットとリングラチェットとが係合することによりリングがキャップ本体から破断した際、リングがフランジ側に落下することを特徴とする注出口とキャップとの組合体。
【発明の詳細な説明】
【０００１】
【発明の属する技術分野】
本発明は注出口とキャップとの組合体、および注出口に係り、とりわけ注出口からキャップを取外したことを容易に確認することができる注出口とキャップとの組合体、および注出口に関する。
【０００２】
【従来の技術】
従来より、例えば飲料水を内部に収納した柔軟容器に、注出口が取付けられており、この注出口にはキャップがねじ込まれて装着される。この場合、キャップはキャップ本体と、キャップ本件に薄肉部を介して連結されたリングとを有している。
【０００３】
キャップを注出口から取外す場合、キャップのリングが注出口に固定され、キャップ本体とリングとが分離されキャップ本体のみが注出口から取外される。
【０００４】
このようにキャップ取外時に、キャップ本体とリングとが分離されて、外方よりキャップ取外しを確認することができる。
【０００５】
【発明が解決しようとする課題】
上述のようにキャップを注出口から取外す場合、キャップ本体とリングとが分離してキャップ本体のみが注出口から取外され、リングは注出口側へ残る。
【０００６】
使用者が飲料水を注出口から飲む場合は、容器を引繰り返し注出口を使用者の口にあてて飲むことになる。この際、注出口に残ったリングが落下して、使用者の口に当たり飲みにくくなることがある。
【０００７】
本発明はこのような点を考慮してなされたものであり、使用時において容器を引繰り返しても注出口に残ったリングが使用者の口に当接することのない注出口とキャップとの組合体、および注出口を提供することを目的とする。
【０００８】
【課題を解決するための手段】
本発明は、フランジから外方へ突出するとともに、おねじを有する円筒状注出口と、注出口のおねじに係合するめねじを有し、注出口に装着された円筒状キャップとを備え、キャップはキャップ本体と、キャップ本体に薄肉部を介して破断可能に連結されるとともに注出口に沿って摺動可能なリングとを有し、リング内面の下端に円周突部が設けられるとともに、その上端に所定間隙をおいて複数のリングラチェットが設けられ、注出口外面には注出口からキャップを取外す際、円周方向においてリングラチェットに係合する複数の注出口ラチェットと、軸方向において円周突部に係合する止め部が所定間隔をおいて複数設けられ、注出口からキャップを取外す際に注出口ラチェットとリングラチェットが係合する場合、リングに設けられたリングラチェットは、注出口に設けられた止め部および注出口ラチェットと円周方向に関してずれて配置され、キャップを注出口に対して回転させて注出口ラチェットとリングラチェットとが係合することによりリングがキャップ本体から破断した際、リングがフランジ側に落下することを特徴とする注出口とキャップとの組合体、および
円周方向においてキャップのリングラチェットに係合する複数の注出口ラチェットと、軸方向においてキャップの円周突部に係合する止め部とが外面に設けられたことを特徴とする、上記記載の注出口とキャップとの組合体を構成する注出口である。
【０００９】
本発明によれば、キャップを取外す際、注出口に対してキャップのキャップ本体を緩める方向に回転させる。この場合、注出口側の注出口ラチェットとリング側のリングラチェットとが係合し、リングが注出口に係止される。更にキャップ本体を回転させると、リングとキャップ本体との間に設けられた薄肉部が破断し、リングとキャップ本体とが分離する。キャップ本体から分離したリングはその自重で注出口を摺動しながら落下する。注出口を引繰り返すと、リングの円周突部が注出口側の止め部に係合し、リングが注出口先端側へ落下することが防止される。
【００１０】
【発明の実施の形態】
以下、図面を参照して本発明の実施の形態について説明する。
図１乃至図５は本発明の実施の形態を示す図である。
図１乃至図５に示すように、注出口とキャップとの組合体は、円筒状注出口１０と、この注出口１０に装着されるキャップ２０とを備えている。
【００１１】
このうち注出口１０はフランジ１２を境として図示しない容器内側へ延びる内側筒部１１と、容器外側へ延びる外側筒部１３とを有している。また外側筒部１３の外面にはおねじ１４が設けられている。
【００１２】
一方、キャップ２０は、外側筒部１３のおねじ１４に係合するめねじ２２が内面に設けられたキャップ本体２１と、キャップ本体２１に薄肉部２４を介して連結されたリング２３とを有している。
【００１３】
また図１および図２に示すように、リング２３の下端には、内方へ突出する円周突部２６が円周状に設けられており、またリング２３の上端には、所定間隙をおいて複数、例えば４個のリングラチェット２７が設けられている。
【００１４】
なお、図１および図２に示すように、キャップ本体２１とリング２３との間に設けられた薄肉部２４は、薄肉の柱状となっている。本実施の形態においては図１および図２に示すように、柱状薄肉部２４はキャップ本体２１とリング２３のリングラチェット２７の間に延びるとともに、円周方向に所定間隔をおいて複数（例えば４個）設けられている。また各柱状薄肉部２４は、キャップ本体２１からリングラチェット２７側に向って先細状に形成され、水平断面が略半円形の三日月形をしている。このため柱状薄肉部２４においてキャップ本体２１とリング２３とは容易に破断可能となっており、このとき薄肉部２１の破断箇所はリング２３のリングラチェット２７側に位置するようになっている。
【００１５】
次に注出口１０について、図１乃至図４により更に詳述する。図１乃至図４に示すように、注出口１０の外側筒部１３の外面には、リング２３のリングラチェット２７と円周方向において係合する注出口ラチェット１６が円周方向に所定間隔において複数（例えば４個）設けられている（図４参照）。すなわち注出口１０の注出口ラチェット１６とリング２３のリングラチェット２７は、注出口１０に装着されたキャップ２０を取外す際互いに係合し、キャップ２０のうちリング２３を注出口１０に残したままキャップ本体２１のみを薄肉部２４を介してリング２３から分離して取外すためのものである。
【００１６】
また、図４に示すように注出口１０の外側筒部１３の外面には、注出口ラチェット１６より下方側にリング２３の円周突部２６と軸方向において係合する止め部１５が円周方向に所定間隔をおいて複数（例えば４個）設けられている。この止め部１５は、使用時にキャップ本体２１とリング２３とを薄肉部２４を介して破断し、容器および注出口１０を引繰り返して注出口１０から容器内の内容物を飲む場合、リング２３の円周突部２６に係合してリング２３の落下を防止するものである。また図４に示すように注出口ラチェット１６と止め部１５は、共に円周方向に関して所定間隔において配置されている。
【００１７】
また、注出口１０の外側筒部１３外面に設けられた止め部１５の下部には、フランジ１２側へ延びる突起１５ａが各止め部１５に複数（例えば２個）設けられている。この突起１５ａはキャップ本体２１から分離したリング２３をガタつくことなく、注出口１０の外側筒部１３外面に保持するものである。
【００１８】
なお、図３に示すように、注出口１０に装着されたキャップ２０を取外す際に注出口ラチェット１６とリングラチェット２７が係合した場合、リング２３側のリングラチェット２７と、注出口１０側の止め部１５とは円周方向に関して互いにずれて配置されている。このためキャップ本体２１とリング２３とを分離した場合、リング２３がスムーズに注出口１０のフランジ１２側へ落下するようになっている。
【００１９】
また、図５に示すように、キャップ２０のキャップ本体２１とリング２３に、キャップ２０を注出口１０にねじ込む際互いに係合する係合突起２１ａ、２３ａが円周方向に関して相対向する位置に各々設けられている。
【００２０】
このような係合突起２１ａ、２３ａによって、キャップ２０を注出口１０にねじ込む際、薄肉部２４が破断することを未然に防止することができる。
【００２１】
次にこのような構成からなる本実施の形態の作用について説明する。
【００２２】
まず、図示しない容器内面に対して注出口１０の内側筒部１１外面がヒートシールされ、このようにして注出口１０が容器に取付けられる。
【００２３】
次に注出口１０から容器内に飲料水等の内容物が充てんされ、その後注出口１０側のおねじ１４とキャップ２０側のめねじ２２とを係合させて注出口１０にキャップ２０がねじ込まれ、キャップ２０が注出口１０のフランジ１２側へ接近する。その後注出口１０側の注出口ラチェット１６上をキャップ２０側のリングラチェット２７が乗り越えて、キャップ２０が注出口１０に対して確実に装着される。注出口１０へキャップ２０をねじ込む場合、上述のように、キャップ本体２１の係合突起２１ａとリング２３の係合突起２３ａが係合するので、キャップ本体２１とリング２３との間に設けられた薄肉部２４が破断することはない。
【００２４】
使用に際しては、まず使用者がキャップ２０のキャップ本体２１を把持し、キャップ２０を注出口１０から緩める方向（ねじ込み方向と逆方向）に回転させる。この場合、注出口１０側の注出口ラチェット１６とキャップ２０側のリングラチェット２７とが円周方向において係合し、リング２３が注出口１０側に係止される。このため、キャップ本体２１のみが注出口１０から緩める方向に回転し、キャップ本体２１とリング２３との間の薄肉部２４が破断してキャップ本体２１とリング２３とが分離する。
【００２５】
上述のように薄肉部２４はリング２３のリングラチェット２７側へ向って先細状となる柱形状を有しているので、薄肉部２４はリング２３のリングラチェット２７側において破断する。このためリング２３のキャップ本体２１側の面に薄肉部２４の破断端が残ることはない。
【００２６】
更にキャップ本体２１を注出口１０に対して緩める方向に回転させることによって、注出口１０側のおねじ１４と、キャップ本体２１側のめねじ２２との係合が解除してキャップ本体２１のみが注出口１０から取外される。
【００２７】
この間、キャップ本体２１から分離したリング２３は、その自重により注出口１０の外側筒部１３に沿って摺動しながらフランジ１２側へ落下する。この場合、リング２３のリングラチェット２７は、注出口１０側の止め部１５および注出口ラチェット１６のいずれとも円周方向に関して所定間隔をおいて配置されているため、リング２３はその自重によってスムーズにフランジ１２側へ落下することができる。また注出口１０側には止め部１５から延びる突起１５ａが設けられているので、リング２３がフランジ１２側へ落下する際リング２３内面がこの突起１５ａにガイドされることになる。このためリング２３の落下時にリング２３が注出口１０外周においてガタついて外れることはない。
【００２８】
次に使用者は注出口１０を容器ごと引繰り返し、注出口１０を口にあてて内容物を注出口１０から飲みほす。この場合、リング２３の円周突部２６が注出口１０の止め部１５に係合するので、容器を引繰り返した場合にリング２３が注出口１０の先端から使用者の口側へ落下してしまうことはない。また薄肉部２４はリング２３のリングラチェット２７側において破断するので、リング２３側に薄肉部２４の破断端が残ることはない。このため使用者が注出口１０を口にあてた場合でも、リング２３に残った薄肉部２４の破断端が口部に当接するということはない。
【００２９】
その後使用者は、容器を注出口１０が上方を向く元の状態まで戻し、次に注出口１０に対してキャップ本体２１を再度装着する。この場合、キャップ２０はキャップ本体２１とリング２３とが分離した状態となっているので、外部からキャップ２０を一度取外したことを容易に認識することができる。
【００３０】
【発明の効果】
以上のように本発明によれば、キャップのキャップ本体を緩める方向に回転させると、注出側の注出口ラチェットとリング側のリングラチェットが係合し、その後薄肉部が破断してリングとキャップ本体とが分離する。分離したリングは注出口を摺動しながら落下する。この後キャップ本体を再度注出口に装着した場合、キャップ本体とリングとが分離しているので、外部からキャップを一度取外した事実を確認することができる。また使用時に注出口を引繰り返した場合、リングの円周突部は注出口側の止め部に係合するので、リングが注出口先端側へ落下することはない。このため、使用時に注出口を引繰り返しても、リングが邪魔になることはない。
【図面の簡単な説明】
【図１】本発明による注出口とキャップとの組合体を示す側断面図。
【図２】注出口側の注出口ラチェットおよび止め部と、キャップ側のキャップラチェットおよび円周突部を示す拡大側断面図。
【図３】注出口とキャップのリング部分を示す断面図。
【図４】注出口を示す斜視図。
【図５】キャップを示す斜視図。
【符号の説明】
１０  注出口
１１  内側筒部
１２  フランジ
１３  外側筒部
１５  止め部
１６  注出口ラチェット
２０  キャップ
２１  キャップ本体
２３  リング
２４  薄肉部
２６  円周突部
２７  リングラチェット
【図１】
0004222652.tif 000002
【図２】
0004222652.tif 000003
【図３】
0004222652.tif 000004
【図４】
0004222652.tif 000005
【図５】
0004222652.tif 000006